(57)【要約】    本発明は、第１のネットワークから受信した光信号に対しアド／ドロップを行って第２のネットワークに送信するリング系専用のノード装置に装着されて、第１または第２のネットワークから受信した光信号に対しアド／ドロップを行って第２または第１のネットワークに送信するリニア系専用のノード装置に変換する光回路であって、第２のネットワークから供給される光信号帯域を反射し、第１のネットワークから供給される光信号帯域を透過し、かつ、自回路が装着されたリング系専用のノード装置におけるアド光の占有帯域を所定の透過率で透過して残りを反射する特性を持つ光フィルタ手段を有することにより、リング系専用のノード装置に装着してリニア系専用のノード装置に変換することで、リング系専用のノード装置をリニア系専用のノード装置の一部として兼用できる。【特許請求の範囲】
【請求項１】
第１のネットワークから受信した光信号に対しアド／ドロップを行って第２のネットワークに送信するリング系専用のノード装置に装着されて、第１または第２のネットワークから受信した光信号に対しアド／ドロップを行って第２または第１のネットワークに送信するリニア系専用のノード装置に変換する光回路であって、
第２のネットワークから供給される光信号帯域を反射し、第１のネットワークから供給される光信号帯域を透過し、かつ、自回路が装着されたリング系専用のノード装置におけるアド光の占有帯域を所定の透過率で透過して残りを反射する特性を持つ光フィルタ手段を
有することを特徴とする光回路。
【請求項２】
第１のネットワークから受信した光信号に対しアド／ドロップを行って第２のネットワークに送信するリング系専用のノード装置に装着されて、第１または第２のネットワークから受信した光信号に対しアド／ドロップを行って第２または第１のネットワークに送信するリニア系専用のノード装置に変換する光回路であって、
第１のネットワークに接続された第１のサーキュレータと、
第２のネットワークに接続された第２のサーキュレータと、
前記第１のサーキュレータを通して供給される前記第１のネットワークから受信した光信号帯域を透過するとともに、前記第２のサーキュレータを通して供給される前記第２のネットワークから受信した光信号帯域を反射して前記リング系専用のノード装置に供給して受信させる第１のフィルタと、
前記リング系専用のノード装置から送信される光信号に対し、前記第１のネットワークから受信した光信号帯域を透過するとともに、前記第２のサーキュレータを通して供給される前記第２のネットワークから受信した光信号帯域を反射し、かつ、前記リング系専用のノード装置におけるアド光の占有帯域を所定の透過率で透過して残りを反射し、透過した光信号を前記第２のサーキュレータを通して前記第２のネットワークに送信し、反射した光信号を前記第１のサーキュレータを通して前記第１のネットワークに送信する第２のフィルタを
有することを特徴とする光回路。
【請求項３】
請求項２記載の光回路において、
前記所定の透過率は、前記リニア系専用のノード装置が配置されるネットワークの位置に応じて設定されることを特徴とする光回路。
【請求項４】
請求項３記載の光回路において、
前記リニア系専用のノード装置がネットワークの中心付近の場合、前記所定の透過率は約５０％であることを特徴とする光回路。
【請求項５】
請求項３記載の光回路において、
前記リニア系専用のノード装置がネットワークの端部付近の場合、前記所定の透過率はネットワークの中心に向けて送信されるアド光が増加するような値であることを特徴とする光回路。
【請求項６】
請求項２記載の光回路において、
前記第１及び第２のフィルタの少なくとも一方を可変光フィルタで構成したことを特徴とする光回路。
【請求項７】
請求項２記載の光回路において、
前記第１のサーキュレータと前記第１のフィルタの間に挿入接続された第１の可変光減衰器と、
前記第２のサーキュレータと前記第１のフィルタの間に挿入接続された第２の可変光減衰器を
有することを特徴とする光回路。
【請求項８】
請求項２記載の光回路において、
前記第１のサーキュレータと前記第１のフィルタの間に挿入接続された第１の光増幅器と、
前記第２のサーキュレータと前記第１のフィルタの間に挿入接続された第２の可変光増幅器を
有することを特徴とする光回路。
【請求項９】
請求項２記載の光回路を、第１のネットワークから受信した光信号に対しアド／ドロップを行って第２のネットワークに送信するリング系専用のノード装置に装着して構成され、第１または第２のネットワークから受信した光信号に対しアド／ドロップを行って第２または第１のネットワークに送信するリニア系専用のノード装置。
【請求項１０】
請求項９記載のリニア系専用のノード装置を、複数接続して構成したことを特徴とするリニア系ＷＤＭネットワーク。
【請求項１１】
請求項１０記載のリニア系ＷＤＭネットワークを、スターカプラで複数接続して構成したことを特徴とするツリー系ＷＤＭネットワーク。
【請求項１２】
請求項１１記載のツリー系ＷＤＭネットワークにおいて、
各リニア系専用のノード装置におけるアド光の占有帯域は互いに異なることを特徴とするツリー系ＷＤＭネットワーク。
【発明の詳細な説明】
【技術分野】
【０００１】
本発明は、光回路及びそれを用いたリニア系専用のノード装置及びリニア系ＷＤＭネットワーク及びツリー系ＷＤＭネットワークに関し、リング系専用のノード装置に装着してリニア系専用のノード装置に変換する光回路及びそれを用いたリニア系専用のノード装置及びリニア系ＷＤＭネットワーク及びツリー系ＷＤＭネットワークに関する。
【背景技術】
【０００２】
図１（Ａ）は、リング系ＷＤＭ（Ｗａｖｅｌｅｎｇｔｈ  Ｄｉｖｉｓｉｏｎ  Ｍｕｌｔｉｐｌｅｘｅｒ）ネットワークの一例の構成図を示す。同図中、リング系専用のノード装置１０ａ〜１０ｄはリングネットワークを構成しており、光信号のアド／ドロップを行う。このリングネットワークでは光信号は一方向（反時計方向）に伝送される。【０００３】
図１（Ｂ）は、リング・トポロジー・ネットワーク用（以下、リング系専用という）のノード装置１０ａ〜１０ｄの説明図を示す。ここではノード装置１０ａを例に取り説明する。同図中、ノード装置１０ａは、リングネットワークからのＷＤＭ信号を入力ポート１１で受信し、出力ポート１２からリングネットワークにＷＤＭ信号を送信する。入力ポート１３から入力されたアド光は多重されて出力ポート１２から送信され、入力ポート１１で受信され分離されたドロップ光は出力ポート１４から出力される。ノード装置１０ａは自ノードのアド光がリングネットワークを周回して自ノードに入力されることを防止するため、自ノードのアド光を終端するフィルタを入力ポート１１に設けている。【０００４】
図２（Ａ）は、ツリー系ＷＤＭネットワークの一例の構成図を示す。同図中、リニア系専用のノード装置２０ａ〜２０ｆはツリー型ネットワークを構成しており、光信号のアド／ドロップを行う。このツリー型ネットワークでは光信号は左右双方向に伝送される。【０００５】
図２（Ｂ）は、ツリー系ＷＤＭネットワークに用いられるリニア・トポロジー・ネットワーク用（以下、リニア系専用という）のノード装置２０ａ〜２０ｆの説明図を示す。ここではノード装置２０ａを例に取り説明する。同図中、ノード装置２０ａは、左側に接続されたネットワークに対し入出力ポート２１で送受信を行い、右側に接続されたネットワークに対し入出力ポート２２で送受信を行う。入力ポート２３から入力されたアド光は多重されて入出力ポート２１，２２からネットワークに送信され、入出力ポート２１，２２で受信され分離されたドロップ光は出力ポート２４から出力される。なお、結節点２５は図２（Ｃ）に示すように、１×２光カプラ２６，２７，２８を組み合わせたスターカプラで構成されている。【０００６】
図１（Ｂ）に示すリング系専用のノード装置１０ａ〜１０ｄと図２（Ｂ）に示すリニア系専用のノード装置２０ａ〜２０ｆとでは内部構成が異なっており、両者を兼用することはできないという問題があった。【０００７】
ところで、特許文献１には、異なる波長の光信号を双方向に伝送して双方向光通信を行う双方向光通信用のノード装置で、単方向に伝送される光信号に対して所定の光信号処理を施す単方向用光信号処理部と、上り方向，下り方向の各光信号の流れを単一方向化して単方向用光信号処理部に入力する一方、単方向用光信号処理部からの光信号の流れを上り方向と下り方向とに双方向化する単方向／双方向変換処理部とを備え、既存の単方向光通信用のノード装置を用いて、双方向の波長多重光通信を行えるようにすることが記載されている。【０００８】
（特許文献１）特開平１１−１２７２１号公報
しかるに、特許文献１に記載のものは、ノード装置の左側に接続されたネットワークに送出する光信号の波長帯域と、右側に接続されたネットワークに送出する光信号の波長帯域を分けなければならず、送信機数及びネットワークの伝送路中の占有波長数が送信信号数の２倍必要になるという問題があった。【０００９】
また、図３に示すリニア系ＷＤＭネットワークにおいて、ノード装置３２から同一波長を用いて左右に接続されたネットワークに送信を行う場合、ノード装置３２でアドされた光信号がノード装置３１，３３それぞれでドロップされる。例えばノード装置３３の右に接続されたネットワークで障害が発生し、障害発生箇所で光信号の反射が生じた場合、ノード装置３２でアドされた光信号が障害発生箇所で反射してノード装置３１，３３それぞれにてドロップされる。このため、コヒーレントクロストークとなって信号を劣化させてしまう。また、上記の障害が発生していない場合でも、伝送路中のレーリー散乱光やコネクタ端面等による反射光がコヒーレントクロストークとなって光信号を劣化させてしまうという問題があった。
【発明の開示】
【発明が解決しようとする課題】
【００１０】
本発明は、リング系専用のノード装置に装着してリニア系専用のノード装置に変換することで、リング系専用のノード装置をリニア系専用のノード装置の一部として兼用できるようにした光回路及びそれを用いたリニア系専用のノード装置及びリニア系ＷＤＭネットワーク及びツリー系ＷＤＭネットワークを提供することを総括的な目的とする。
【課題を解決するための手段】
【００１１】
この目的を達成するため、本発明は、第１のネットワークから受信した光信号に対しアド／ドロップを行って第２のネットワークに送信するリング系専用のノード装置に装着されて、第１または第２のネットワークから受信した光信号に対しアド／ドロップを行って第２または第１のネットワークに送信するリニア系専用のノード装置に変換する光回路であって、第２のネットワークから供給される光信号帯域を反射し、第１のネットワークから供給される光信号帯域を透過し、かつ、自回路が装着されたリング系専用のノード装置におけるアド光の占有帯域を所定の透過率で透過して残りを反射する特性を持つ光フィルタ手段を有し構成する。
【発明の効果】
【００１２】
このような光回路によれば、リング系専用のノード装置に装着してリニア系専用のノード装置に変換することで、リング系専用のノード装置をリニア系専用のノード装置の一部として兼用できる。
【図面の簡単な説明】
【００１３】
【図１】リング系ＷＤＭネットワークとリング系専用のノード装置を説明するための図である。
【図２】ツリー系ＷＤＭネットワークとリニア系専用のノード装置を説明するための図である。
【図３】リニア系ＷＤＭネットワークの障害について説明するための図である。
【図４】本発明で使用されるリング系専用のノード装置の一実施形態の構成図である。
【図５】リング系ＷＤＭネットワークの一実施形態の構成図である。
【図６】本発明の光回路を用いて構成したリニア系専用のノード装置の第１実施形態の構成図である。
【図７】光フィルタの構造図である。
【図８】本発明のリニア系専用のノード装置で構成したリニア系ＷＤＭネットワークの一実施形態の構成図及び光フィルタの透過／反射特性図である。
【図９】リニア系ＷＤＭネットワークの障害について説明するための図である。
【図１０】本発明のリニア系専用のノード装置で構成したツリー系ＷＤＭネットワークの一実施形態を説明するための図である。
【図１１】図１０のツリー系ＷＤＭネットワークの各ノード装置の光フィルタの透過／反射特性図である。
【図１２】右側のネットワークからＷＤＭ信号を受信する必要のない簡易構成のノード装置の構成図である。
【図１３】図１２のノード装置を使用した場合のコヒーレントクロストーク防止について説明するための図である。
【図１４】本発明の光回路を用いて構成したリニア系専用のノード装置の第２実施形態の構成図である。
【図１５】本発明の光回路を用いて構成したリニア系専用のノード装置の第３実施形態の構成図である。
【符号の説明】
【００１４】
４０  リング系専用のノード装置
４５，４８  １×４光カプラ
４６  リジェクト及びアドフィルタ
４７  １×２光カプラ
４９ａ〜４９ｄ  可変光フィルタ
５０  光回路
５１，５４  サーキュレータ
５２，５３  光フィルタ
【発明を実施するための最良の形態】
【００１５】
以下、本発明の実施形態を図面に基づいて説明する。【００１６】
図４は、本発明で使用されるリング系専用のノード装置の一実施形態の構成図を示す。このリング系専用のノード装置は、左側に接続されるネットワークから受信した光信号に対しアド／ドロップを行って右側に接続されるネットワークに送信する。【００１７】
同図中、リング系専用のノード装置４０は、リングネットワークからのＷＤＭ信号を入力ポート４１で受信し、出力ポート４２からリングネットワークにＷＤＭ信号を送信する。入力ポート４３から入力される例えば４波長λ１，λ２，λ３，λ４のアド光は１×４光カプラ４５に供給されて多重されてリジェクト及びアドフィルタ４６に供給される。【００１８】
リジェクト及びアドフィルタ４６は、入力ポート４１から供給されるＷＤＭ信号内のアド光の波長λ１，λ２，λ３，λ４の占有帯域を除去した上で、１×４光カプラ４５から供給される多重アド光（波長λ１，λ２，λ３，λ４）を多重して１×２光カプラ４７に供給する。１×２光カプラ４７はリジェクト及びアドフィルタ４６からのＷＤＭ信号を２分岐し、その一方を出力ポート４２から出力し、他方を１×４光カプラ４８に供給する。なお、１×２光カプラ４７はリジェクト及びアドフィルタ４６からのＷＤＭ信号の例えば７５％を出力ポート４２から出力し、２５％を１×４光カプラ４８に供給する。【００１９】
１×４光カプラ４８は上記ＷＤＭ信号を４分岐して可変光フィルタ４９ａ〜４９ｄに供給する。可変光フィルタ４９ａ〜４９ｄそれぞれはＷＤＭ信号から波長λｉ，λｊ，λｋ，λｌのドロップ光を分離して出力ポート４４から出力する。他ノード装置との通信を行っている通常の状態ではλｉ〜λｌ≠λ１〜λ４であるが、故障原因特定のために、波長λｉ〜λｌを波長λ１〜λ４のいずれかにすることもある。【００２０】
上記のリング系専用のノード装置４０は、図５に示すリング系ＷＤＭネットワークのノード装置４０ａ，４０ｂ，４０ｃとして使用される。ここで、各ノード装置４０ａ，４０ｂ，４０ｃのアド光の占有領域は互いに異ならせている。例えばノード装置４０ｂでアドされた波長λ８のアド光はノード装置４０ｃ，４０ａそれぞれでドロップされ、これにより、ノード装置４０ｃ，４０ａにて同時受信される。【００２１】
図６は、本発明の光回路を用いて構成したリニア系専用のノード装置の第１実施形態の構成図を示す。このリニア系専用のノード装置は、左側に接続されるネットワークから受信した光信号に対しアド／ドロップを行って右側に接続されるネットワークに送信とともに、右側に接続されるネットワークから受信した光信号に対しアド／ドロップを行って左側に接続されるネットワークに送信する。【００２２】
同図中、このリング系専用のノード装置は、図４に示す構成のリング系専用のノード装置４０と、光回路５０から構成されている。【００２３】
光回路５０は、サーキュレータ５１，５４と、光フィルタ５２，５３から構成されている。サーキュレータ５１は、第１ポートａを左側のネットワークに接続され、第２ポートｂを光フィルタ５２に接続され、第３ポートｃを光フィルタ５３に接続されており、第１ポートａから入力された光信号は第２ポートｂから出力され、第３ポートｃから入力された光信号は第１ポートａから出力される。【００２４】
光フィルタ５２は、左側に接続されたネットワークから供給される光信号帯域に対して１００％の透過率を持ち、右側に接続されたネットワークから供給される光信号帯域に対して１００％の反射率を持ち、ノード装置４０のアド光の占有帯域に対しては透過率０〜１００％（反射率１００〜０％）のいずれでも良い。そのため、後述の光フィルタ５３と同一の透過率を選択することが可能である。光フィルタ５２を透過した光信号及び光フィルタ５２で反射された光信号はノード装置４０のリジェクト及びアドフィルタ４６に供給される。【００２５】
光フィルタ５３は、左側に接続されたネットワークから供給される光信号帯域に対して１００％の透過率を持ち、右側に接続されたネットワークから供給される光信号帯域に対して１００％の反射率を持ち、ノード装置４０のアド光の占有帯域に対しては所定の透過率を持つ。上記所定の透過率は、ノード装置４０が配置されるネットワークの位置によって決定され、ネットワークの中心付近では透過率５０％（反射率５０％）とし、ノード装置４０の右側がネットワークの端部付近であれば、ノード装置４０の左側に接続されるネットワークのノード装置数が多くなるため、透過率を小さく（反射率を大きく）して、ネットワークの中心に向けて送信されるアド光が増加するようにフィルタ特性を設定する。【００２６】
図７（Ａ）は、この光フィルタ５２の構造図を示す。同図中、透明基板５５の一面には光透過膜５６が設けられている。ポートＰ１にはサーキュレータ５４からの光信号が供給されて右側に接続されたネットワークから供給される光信号帯域は光透過膜５６で反射される。ポートＰ２にはサーキュレータ５１からの光信号が供給されて左側に接続されたネットワークから供給される光信号帯域は透明基板５５及び光透過膜５６を透過し、光透過膜５６で反射された右側に接続されたネットワークから供給される光信号帯域と多重されてポートＰ３からリング系専用のノード装置４０に向けて出射される。【００２７】
図７（Ｂ）は、この光フィルタ５３の構造図を示す。同図中、透明基板５７の一面には光透過膜５８が設けられている。ポートＰ４にはリング系専用のノード装置４０からの光信号が供給される。この光信号のうち、左側に接続されたネットワークから供給される光信号帯域及びノード装置４０のアド光の一部は透明基板５７及び光透過膜５８を透過してポートＰ５からサーキュレータ５４に向けて出射される。また、右側に接続されたネットワークから供給される光信号帯域及びノード装置４０のアド光の残りは光透過膜５８で反射されてポートＰ６からサーキュレータ５１に向けて出射される。【００２８】
サーキュレータ５４は、第１ポートａを光フィルタ５３に接続され、第２ポートｂを右側のネットワークに接続され、第３ポートｃを光フィルタ５２に接続されており、第２ポートｂから入力された光信号は第３ポートｃから出力され、第１ポートａから入力された光信号は第２ポートｂから出力される。【００２９】
図６の左方から供給される光信号は、サーキュレータ５１，光フィルタ５２を通してノード装置４０のリジェクト及びアドフィルタ４６に供給され、ノード装置４０のアド光占有帯域を除去され、１×２光カプラ４７で一部を１×２光カプラ４８に分岐され、残りは光フィルタ５３を透過し、サーキュレータ５４を経て右方のネットワークに送出される。【００３０】
また、図６の右方から供給される光信号は、サーキュレータ５４を通し光フィルタ５２で反射されてノード装置４０のリジェクト及びアドフィルタ４６に供給され、ノード装置４０のアド光占有帯域を除去され、１×２光カプラ４７で一部を１×４光カプラ４８に分岐され、残りは光フィルタ５３で反射され、サーキュレータ５１を経て左方のネットワークに送出される。【００３１】
また、ノード装置４０のリジェクト及びアドフィルタ４６でアドされたＷＤＭ信号は１×２光カプラ４７を通して光フィルタ５３に供給され、反射された一部がサーキュレータ５１を経て左方のネットワークに送出され、透過された一部がサーキュレータ５４を経て右方のネットワークに送出される。【００３２】
これにより、リング系専用のノード装置をリニア系専用のノード装置の一部として兼用できる。【００３３】
ところで、光フィルタ５２，５３としては、参考文献１に記載されているような１入力２出力型で２つの出力が互いに逆特性となる可変光フィルタを用いても良い。【００３４】
参考文献１：神宮司要、「広帯域プログラマブル光周波数フィルタ」、電子情報通信学会論文誌、Ｃ−Ｉ  Ｖｏｌ，Ｊ８１−Ｃ−Ｉ  Ｎｏ．４  ｐｐ．２５４−２６３  １９９８年４月
光フィルタ５２，５３として可変光フィルタを用いると、例えばツリー系ＷＤＭネットワークを管理する管理装置からツリー系ＷＤＭネットワークの各リニア系専用のノード装置における波長特性を変更して、アド光占有帯域が重ならないように管理することができ、また、アド光占有帯域の透過率を変更して、ツリー系ネットワークにおけるリニア系専用のノード装置の配置位置を自由に変更できる。【００３５】
図８（Ａ）は、本発明のリニア系専用のノード装置で構成したリニア系ＷＤＭネットワークの一実施形態の構成図を示す。同図中、ノード装置６１，６２，６３それぞれは、リング系専用のノード装置４０と光回路５０から構成された図６に示す構成である。ノード装置６１，６２間は光ファイバ伝送路６４で接続され、ノード装置６２，６３間は光ファイバ伝送路６５で接続されており、ノード装置６１の左方及びノード装置６３の右方にも図示しない光ファイバ伝送路が接続されてリニア系ＷＤＭネットワークが構成されている。ノード装置６１，６２，６３それぞれのアド光占有帯域は互いに重ならないように設定されている。【００３６】
ここで、図８（Ｂ）に、ノード装置６１，６２，６３それぞれの光フィルタ５３の透過／反射特性を示す。ノード装置６１の光フィルタ５２，５３は、図８（Ｂ）の上段に実線で透過率，破線で反射率を示すように、自装置のアド光占有帯域では透過率５０％，反射率５０％を持ち、右方のネットワークから供給される光信号（ノード装置６２，６３のアド光占有帯域）に対し透過率０％，反射率１００％を持つ。【００３７】
ノード装置６２の光フィルタ５２，５３は、図８（Ｂ）の中段に示すように、自装置のアド光占有帯域では透過率５０％，反射率５０％を持ち、左方のネットワークから供給される光信号の帯域（ノード装置６１のアド光占有帯域）では透過率１００％，反射率０％を持ち、右方のネットワークから供給される光信号（ノード装置６３のアド光占有帯域）に対し透過率０％，反射率１００％を持つ。【００３８】
ノード装置６３の光フィルタ５２，５３は、図８（Ｂ）の下段に示すように、自装置のアド光占有帯域では透過率５０％，反射率５０％を持ち、左方のネットワークから供給される光信号の帯域（ノード装置６１，６２のアド光占有帯域）では透過率１００％，反射率０％を持つ。【００３９】
このため、ノード装置６２のアド光は、図８（Ａ）に矢印で示すように、ノード装置６２の光フィルタ５３で２分岐され、その一方はノード装置６２のサーキュレータ５４を通して光ファイバ伝送路６５に送出され、ノード装置６３及びその先の光ファイバ伝送路に送信される。また、他方はノード装置６２のサーキュレータ５１を通して光ファイバ伝送路６４に送出され、ノード装置６１及びその先の光ファイバ伝送路に送信される。これにより、ノード装置６１，６３を構成するリング系専用のノード装置４０ではノード装置６２でアドされた光信号を同時受信することが可能となる。【００４０】
図９（Ａ）に示すように、光回路５０の右側に接続されたネットワークで障害が発生し、障害発生箇所で光信号の反射が生じた場合、ノード装置４０でアドされた光信号は障害発生箇所で反射し（破線で示す）、サーキュレータ５４を通して光フィルタ５２に供給され、光フィルタ５２で反射されたものはリジェクト及びアドフィルタ４６で除去され、光フィルタ５２を透過したものは非結合ポートに出力されて除去される。【００４１】
また、光回路５０の左側に接続されたネットワークで障害が発生し、障害発生箇所で光信号の反射が生じた場合、ノード装置４０でアドされた光信号は障害発生箇所で反射し（破線で示す）、サーキュレータ５１を通して光フィルタ５２に供給され、光フィルタ５２を透過したものはリジェクト及びアドフィルタ４６で除去され、光フィルタ５２で反射されたものは非結合ポートに出力されて除去される。【００４２】
図９（Ｂ）に示すように、ノード装置６１〜６３で構成されたリニア系ＷＤＭネットワークにおいて、ノード装置６３の右側に接続されたネットワークで障害が発生し、障害発生箇所で光信号の反射が生じた場合、ノード装置６２でアドされた光信号は障害発生箇所で反射し（破線で示す）、ノード装置６３のサーキュレータ５４を通して光フィルタ５２に供給される。ノード装置６３の光フィルタ５２は、ノード装置６２のアド光の占有帯域を全て透過して非結合ポートに出力することでノード装置６２のアド光の反射成分は除去される。【００４３】
また、ノード装置６１の左側に接続されたネットワークで障害が発生し、障害発生箇所で光信号の反射が生じた場合、ノード装置６２でアドされた光信号は障害発生箇所で反射し（破線で示す）、ノード装置６１のサーキュレータ５１を通して光フィルタ５２に供給される。ノード装置６１の光フィルタ５２は、ノード装置６２のアド光の占有帯域を全て反射して非結合ポートに出力することでノード装置６２のアド光の反射成分は除去される。【００４４】
従って、障害または伝送路中のレーリー散乱光やコネクタ端面等による反射光がコヒーレントクロストークとなって光信号が劣化することを防止できる。また、ノード装置の左側に接続されたネットワークに送出する光信号の波長帯域と、右側に接続されたネットワークに送出する光信号の波長帯域を分ける必要はなく、送信機数及びネットワークの伝送路中の占有波長数を送信信号数と同数にすることができる。【００４５】
次に、図１０（Ａ）に示すような３本のリニア系ＷＤＭネットワークＬ１，Ｌ２，Ｌ３をスターカプラＳＰで接続して構成したツリー系ＷＤＭネットワークについて説明する。同図中、ネットワークはノード装置１〜９で構成されている。ノード装置１〜９それぞれは図６に示す構成であり、各ノード装置のアド光占有帯域は互いに重ならないように設定されている。ノード装置３，６，９それぞれの右側でネットワークは終端されている。このため、ノード装置３，６，９では右側のネットワークからＷＤＭ信号を受信する必要はない。図１０（Ｂ）に、各ノードＸ（Ｘ＝１〜９）から見て左側から信号光（ＷＤＭ信号）を送信するノードと、右側から信号光を送信するノードを示す。なお、スターカプラの構造は図２（Ｃ）に示すものと同一である。【００４６】
ここで、図１１（Ａ）〜（Ｉ）に、ノード装置１〜９それぞれの光フィルタ５２，５３の透過／反射特性を示す。なお、横軸に表記した数字はノード装置の番号である。【００４７】
例えばノード装置１の光フィルタ５２，５３は、図１１（Ａ）に示すように、自装置のアド光占有帯域では透過率５０％，反射率５０％を持ち、左方から供給される光信号の帯域（ノード装置４〜９のアド光占有帯域）では透過率１００％，反射率０％を持ち、右方から供給される光信号（ノード装置２，３のアド光占有帯域）に対し透過率０％，反射率１００％を持つ。【００４８】
また、ノード装置２の光フィルタ５２，５３は、図１１（Ｂ）に示すように、自装置のアド光占有帯域では透過率５０％，反射率５０％を持ち、左方から供給される光信号の帯域（ノード装置１，４〜９のアド光占有帯域）では透過率１００％，反射率０％を持ち、右方から供給される光信号（ノード装置３のアド光占有帯域）に対し透過率０％，反射率１００％を持つ。他のノード装置３〜９についても同様に図１１（Ｃ）〜（Ｉ）に示すようになる。【００４９】
ところで、右側のネットワークからＷＤＭ信号を受信する必要のないノード装置３，６，９については、図１２に示す簡易構成を使用することができる。図１２において、光回路６５はサーキュレータ５１のみで構成されている。サーキュレータ５１は、第１ポートａを左側のネットワークに接続され、第２ポートｂをリング系専用のノード装置４０のリジェクト及びアドフィルタ４６に接続され、第３ポートｃをノード装置４０の１×２光カプラ４７に接続されている。【００５０】
この構成では、左方のネットワークから供給される他のノード装置でアドされた光信号が光回路６５を一周して左方のネットワークに戻ってしまうが、ノード装置３，６，９以外のノード装置の光フィルタ５２，５３のフィルタ特性が理想的なものであれば、コヒーレントクロストークを防ぐことができる。【００５１】
図１３（Ａ）に示すように、ノード装置２でアドされた光信号はノード装置３の光回路６５を一周してノード装置２に戻され、ノード装置２においてサーキュレータ５４を通して光フィルタ５２に供給され、光フィルタ５２で反射されたものはリジェクト及びアドフィルタ４６で除去され、光フィルタ５２を透過したものは非結合ポートに出力されて除去される。【００５２】
図１３（Ｂ）に示すように、ノード装置１でアドされノード装置２を経た光信号はノード装置３の光回路６５を一周してノード装置２に戻され、ノード装置２においてサーキュレータ５４を通して光フィルタ５２に供給され、光フィルタ５２を透過して非結合ポートに出力されて除去される。【００５３】
図１４は、本発明の光回路を用いて構成したリニア系専用のノード装置の第２実施形態の構成図を示す。図１４における光回路７０が、図６の光回路５０と異なる部分は、サーキュレータ５１と光フィルタ５２の間に可変光減衰器７１を挿入接続し、光フィルタ５２とサーキュレータ５４の間に可変光減衰器７２を挿入接続した点である。【００５４】
この実施形態では、左側のネットワークから受信したＷＤＭ信号の光強度と自装置のアド光の光強度が異なるときに、可変光減衰器７１で左側のネットワークから受信したＷＤＭ信号を減衰して自装置のアド光の光強度に合わせることができる。また、右側のネットワークから受信したＷＤＭ信号の光強度と自装置のアド光の光強度が異なるときに、可変光減衰器７２で右側のネットワークから受信したＷＤＭ信号を減衰して自装置のアド光の光強度に合わせることができる。なお、可変光減衰器７１，７２のうちいずれか一方だけを有する構成でも良い。【００５５】
図１５は、本発明の光回路を用いて構成したリニア系専用のノード装置の第３実施形態の構成図を示す。図１５における光回路８０が、図６の光回路５０と異なる部分は、サーキュレータ５１と光フィルタ５２の間に光増幅器８１を挿入接続し、光フィルタ５２とサーキュレータ５４の間に光増幅器８２を挿入接続した点である。【００５６】
この実施形態では、左側のネットワークから受信したＷＤＭ信号の光強度と自装置のアド光の光強度が異なるときに、光増幅器８１で左側のネットワークから受信したＷＤＭ信号を増幅して自装置のアド光の光強度に合わせることができる。また、右側のネットワークから受信したＷＤＭ信号の光強度と自装置のアド光の光強度が異なるときに、光増幅器８２で右側のネットワークから受信したＷＤＭ信号を増幅して自装置のアド光の光強度に合わせることができる。なお、光増幅器８１，８２のうちいずれか一方だけを有する構成でも良い。【００５７】
なお、左側に接続されるネットワークが請求項記載の第１のネットワークに対応し、右側に接続されるネットワークが第２のネットワークに対応する。
【図１】
2006006215.tif 000002
【図２】
2006006215.tif 000003
【図３】
2006006215.tif 000004
【図４】
2006006215.tif 000005
【図５】
2006006215.tif 000006
【図６】
2006006215.tif 000007
【図７】
2006006215.tif 000008
【図８】
2006006215.tif 000009
【図９】
2006006215.tif 000010
【図１０】
2006006215.tif 000011
【図１１】
2006006215.tif 000012
【図１２】
2006006215.tif 000013
【図１３】
2006006215.tif 000014
【図１４】
2006006215.tif 000015
【図１５】
2006006215.tif 000016
【手続補正書】
【提出日】平成18年12月4日(2006.12.4)
【手続補正１】
【補正対象書類名】特許請求の範囲
【補正対象項目名】全文
【補正方法】変更
【補正の内容】
【特許請求の範囲】
【請求項１】
第１のネットワークから受信した光信号に対しアド／ドロップを行って第２のネットワークに送信するリング系専用のノード装置に装着されて、第１または第２のネットワークから受信した光信号に対しアド／ドロップを行って第２または第１のネットワークに送信するリニア系専用のノード装置に変換する光回路であって、
第２のネットワークから供給される光信号帯域を反射し、第１のネットワークから供給される光信号帯域を透過し、かつ、自回路が装着されたリング系専用のノード装置におけるアド光の占有帯域を所定の透過率で透過して残りを反射する特性を持つ光フィルタ手段を
有することを特徴とする光回路。
【請求項２】
第１のネットワークから受信した光信号に対しアド／ドロップを行って第２のネットワークに送信するリング系専用のノード装置に装着されて、第１または第２のネットワークから受信した光信号に対しアド／ドロップを行って第２または第１のネットワークに送信するリニア系専用のノード装置に変換する光回路であって、
第１のネットワークに接続された第１のサーキュレータと、
第２のネットワークに接続された第２のサーキュレータと、
前記第１のサーキュレータを通して供給される前記第１のネットワークから受信した光信号帯域を透過するとともに、前記第２のサーキュレータを通して供給される前記第２のネットワークから受信した光信号帯域を反射して前記リング系専用のノード装置に供給して受信させる第１のフィルタと、
前記リング系専用のノード装置から送信される光信号に対し、前記第１のネットワークから受信した光信号帯域を透過するとともに、前記第２のサーキュレータを通して供給される前記第２のネットワークから受信した光信号帯域を反射し、かつ、前記リング系専用のノード装置におけるアド光の占有帯域を所定の透過率で透過して残りを反射し、透過した光信号を前記第２のサーキュレータを通して前記第２のネットワークに送信し、反射した光信号を前記第１のサーキュレータを通して前記第１のネットワークに送信する第２のフィルタを
有することを特徴とする光回路。
【請求項３】
請求項２記載の光回路を、第１のネットワークから受信した光信号に対しアド／ドロップを行って第２のネットワークに送信するリング系専用のノード装置に装着して構成され、第１または第２のネットワークから受信した光信号に対しアド／ドロップを行って第２または第１のネットワークに送信するリニア系専用のノード装置。
【請求項４】
請求項３記載のリニア系専用のノード装置を、複数接続して構成したことを特徴とするリニア系ＷＤＭネットワーク。
【請求項５】
請求項４記載のリニア系ＷＤＭネットワークを、スターカプラで複数接続して構成したことを特徴とするツリー系ＷＤＭネットワーク。
【国際調査報告】
2006006215.tif 000017
2006006215.tif 000018